(57)【要約】【課題】  嵌合容易性を確保しつつ、ケースに対して衝撃等の荷重がかかっても嵌合状態を強く維持できるケースの嵌合構造を提供する。【解決手段】  一方の半ケース１ａに他方の半ケース１ｂに向けて突設した嵌合用突部２を形成する。嵌合用突部２の先端部に溝嵌合部３を設ける。他方の半ケース１ｂに一方の半ケース１ａに向けて開口する嵌合用溝部４を形成する。嵌合用溝部４の一対の溝壁を押え側壁部５と係合側壁部６とで構成する。嵌合用突部２の溝嵌合部３が嵌合用溝部４の奥部で押え側壁部５の根元部に沿って位置した状態で嵌合用突部２を嵌合用溝部４に嵌合可能にする。このときケース１の内外方向に重なり合う嵌合用突部２の溝嵌合部３よりも根元側の部位と係合側壁部６との間に、ケース１の内外方向の一方に突出する爪部７と該爪部７が係合される爪係合部８とを設ける。【選択図】        図１
2008094464.tif 000002
【特許請求の範囲】
【請求項１】
対向させた一対の半ケースを合致させてケースを一体に形成させるケースの嵌合構造にあって、一方の半ケースに他方の半ケースに向けて突設した嵌合用突部を形成し、嵌合用突部の先端部に溝嵌合部を設け、他方の半ケースに一方の半ケースに向けて開口する嵌合用溝部を形成し、嵌合用溝部の一対の溝壁を押え側壁部と係合側壁部とで構成し、嵌合用突部の溝嵌合部が嵌合用溝部の奥部で押え側壁部の根元部に沿って位置した状態で嵌合用突部を嵌合用溝部に嵌合可能にすると共に、このときケースの内外方向に重なり合う嵌合用突部の溝嵌合部よりも根元側の部位と係合側壁部との間に、ケースの内外方向の一方に突出する爪部と該爪部が係合される爪係合部とを設けて成ることを特徴とするケースの嵌合構造。
【請求項２】
押え側壁部を、爪部と爪係合部との係合箇所におけるケースの内外方向に重なる箇所のみに形成したことを特徴とする請求項１記載のケースの嵌合構造。
【請求項３】
平面視矩形状にした他方の半ケースの側面部におけるケースの周方向の中央部のみに押え側壁部を設けると共に、上記半ケースの側面部に設ける爪部または爪係合部をケースの周方向において上記押え側壁部に対称な位置に設けたことを特徴とする請求項１記載のケースの嵌合構造。
【請求項４】
押え側壁部の断面積を先端部よりも根元部で大となるように形成したことを特徴とする請求項１乃至３のいずれか一項に記載のケースの嵌合構造。
【請求項５】
押え側壁部を、ケースの内外方向に長くケースの周方向に短い板状リブにて形成したことを特徴とする請求項１乃至４のいずれか一項に記載のケースの嵌合構造。
【請求項６】
押え側壁部の溝壁面に、その先端側ほど嵌合用溝部の開口幅を大きくするようなガイド面を形成したことを特徴とする請求項１乃至５のいずれか一項に記載のケースの嵌合構造。
【請求項７】
押え側壁部の突出長さを、ケースの周方向の中央部ほど短くするように形成したことを特徴とする請求項１乃至６のいずれか一項に記載のケースの嵌合構造。
【請求項８】
平面視矩形状にした他方の半ケースの４周のうち対向する２面にそれぞれ係合側壁部を設けると共に、これら係合側壁部におけるケースの周方向の両端部に自由端形状部を設けたことを特徴とする請求項１乃至７のいずれか一項に記載のケースの嵌合構造。
【発明の詳細な説明】
【技術分野】
【０００１】
本発明は、ケースの嵌合構造に関するものである。
【背景技術】
【０００２】
従来から、対向した一対の容器状の半ケース１ａ，１ｂを合致させて中空のケース１を一体に形成させることは、図１４のように、一方の半ケース１ａに突設した嵌合用突部２を他方の半ケース１ｂに凹設した嵌合用溝部４に嵌合させて行わせることが知られている（たとえば特許文献１参照）。詳しくは、嵌合用突部２の先端には爪部７がケース１の内外方向の一方に突設されており、この爪部７は、嵌合用突部２を嵌合用溝部４に嵌合させた際には、嵌合用溝部４に設けた爪係合部８に係合されるようになっている。
【０００３】
しかしながら、上記ケース１の嵌合構造においては、嵌合用突部２の先端に設けた爪部７を爪係合部８に係合させつつも嵌合用突部２を嵌合用溝部４に挿入し易くするため、嵌合用溝部４は爪部７を設けた嵌合用突部２の先端部分のみを嵌合させる程度の浅溝形状に形成されている。したがって、ケース１に何らかの衝撃が加わった際には、そのはずみで嵌合用溝部４と嵌合用突部２との嵌合が外れ易く、ケース１が半ケース１毎に容易に分解されてしまうのであった。詳しくは、ケース１を形成した一方の半ケース１ａに対してケース１の内外方向（爪部７の爪係合部８の挿入方向と逆方向）に荷重がかかった場合（矢印Ｇ）、嵌合用突部２の先端での撓み変形量は他の箇所に比べても大きくなるのであるから、撓み変形量の大きい嵌合用突部２の先端の爪部７は爪係合部８から外れ易く、これにより嵌合用溝部４と嵌合用突部２との嵌合が外れ易くなっているのである。
【０００４】
なお具体的に、図１４のケース１の嵌合構造では、嵌合用溝部４の爪係合部８を設けない側の一方の溝壁１９が、嵌合用溝部４に臨む部位が自由端となるような弾性変形可能な片形状にされており、嵌合用突部２の嵌合用溝部４への挿入時に嵌合用突部２による押圧によって嵌合用溝部４の溝幅を広げることを可能にして嵌合用突部２の嵌合用溝部４への嵌合容易性の確保を図っているのであるが、上記のようにケース１を形成した一方の半ケース１ａに荷重がかかった場合には、この荷重によって撓み変形量の大きい嵌合用突部２の先端が上記一方の溝壁１９の自由端を押圧して嵌合用溝部４の溝幅を広げるようにこの一方の溝壁１９を弾性変形させてしまうことにもなるのであり、嵌合用溝部４と嵌合用突部２との嵌合は外れ易いものとなっているのである。
【特許文献１】特開平１０−２３５６３号公報
【発明の開示】
【発明が解決しようとする課題】
【０００５】
本発明は上記の点に鑑みてなされたものであり、その目的とするところは、ケースを形成する際の半ケース同士の容易な嵌合を可能にしつつ、ケースに対して衝撃等の荷重がかかっても半ケースの同士の嵌合状態を強く維持できるケースの嵌合構造を提供することを課題とするものである。
【課題を解決するための手段】
【０００６】
上記課題を解決するために請求項１に係るケースの嵌合構造にあっては、対向させた一対の半ケース１ａ，１ｂを合致させてケース１を一体に形成させるケース１の嵌合構造にあって、一方の半ケース１ａに他方の半ケース１ｂに向けて突設した嵌合用突部２を形成し、嵌合用突部２の先端部に溝嵌合部３を設け、他方の半ケース１ｂに一方の半ケース１ａに向けて開口する嵌合用溝部４を形成し、嵌合用溝部４の一対の溝壁を押え側壁部５と係合側壁部６とで構成し、嵌合用突部２の溝嵌合部３が嵌合用溝部４の奥部で押え側壁部５の根元部に沿って位置した状態で嵌合用突部２を嵌合用溝部４に嵌合可能にすると共に、このときケース１の内外方向に重なり合う嵌合用突部２の溝嵌合部３よりも根元側の部位と係合側壁部６との間に、ケース１の内外方向の一方に突出する爪部７と該爪部７が係合される爪係合部８とを設けて成ることを特徴とする。
【０００７】
これによると、嵌合用突部２の溝嵌合部３よりも根元側の部位と係合側壁部６との間に爪部７と爪係合部８とを設けたことで、従来の嵌合用突部２の先端に爪部７を設けたものに比べ、嵌合用溝部４の開口から浅い部分で爪部７と爪係合部８とを係合させることができ、嵌合用突部２の嵌合用溝部４への嵌合容易性を確保することができる。なお、嵌合用突部２を嵌合用溝部４に挿入する際には、嵌合用突部２の溝嵌合部３が爪部７に先んじて嵌合用溝部４に挿入されて爪部７を嵌合用溝部４に挿入する際の抜け止め等の導入ガイドの役割をすることからも、嵌合用突部２の嵌合用溝部４への嵌合の容易性を高めることができる。このようにして嵌合用突部２の嵌合用溝部４への嵌合容易性を確保することができたため、嵌合用溝部４を従来のように爪部７を設けた嵌合用突部２の先端のみを嵌合させる浅溝形状にする必要も無くなり、つまり嵌合用溝部４を深溝形状にすることができるため、嵌合用突部２の嵌合用溝部４への嵌合強度を向上できる。ここで、嵌合用突部２の嵌合用溝部４への嵌合状態にあっては、ケース１の内外方向に荷重がかかった際に撓み変形量が大きくなる嵌合用突部２の溝嵌合部３が、嵌合用溝部４の奥部で押え側壁部５の根元部に沿って位置した状態になっているので、上記荷重によって嵌合用突部２の溝嵌合部３が押え側壁部５を押圧することになっても、押え側壁部５はその根元部が押圧されるので変形しにくくてその押圧荷重をケース１全体で支えることができるのであり、つまり嵌合用突部２の嵌合用溝部４への嵌合状態を強固に維持でき、嵌合用突部２の嵌合用溝部４からの外れも有効に防止されているのである。
【０００８】
また請求項２に係るケースの嵌合構造にあっては、請求項１において、押え側壁部５を、爪部７と爪係合部８との係合箇所におけるケース１の内外方向に重なる箇所のみに形成したことを特徴とする。これによると、爪係合部８への爪部７の係合強度、ひいては嵌合用突部２と嵌合用溝部４との強固な嵌合強度を確保しながらも、押え側壁部５の小型化を図って材料コストの低減化を図ることができる。
【０００９】
また請求項３に係るケースの嵌合構造にあっては、請求項１において、平面視矩形状にした他方の半ケース１ｂの側面部におけるケース１の周方向の中央部のみに押え側壁部５を設けると共に、上記半ケース１の側面部に設ける爪部７または爪係合部８をケース１の周方向において上記押え側壁部５に対称な位置に設けたことを特徴とする。これによると、爪係合部８への爪部７の係合強度、ひいては嵌合用突部２と嵌合用溝部４との嵌合強度のバランスを確保しながらも、押え側壁部５の小型化を図って材料コストの低減化を図ることができる。
【００１０】
また請求項４に係るケースの嵌合構造にあっては、請求項１乃至３のいずれか一項において、押え側壁部５の断面積を先端部よりも根元部で大となるように形成したことを特徴とする。これによると、押え側壁部５の突出先端部をより弾性変形し易く、根元部をより弾性変形しずらくできるのであり、嵌合用突部２の嵌合用溝部４への嵌合容易性を高めつつ、嵌合用突部２の嵌合用溝部４への嵌合をより強く維持することができる。
【００１１】
また請求項５に係るケースの嵌合構造にあっては、請求項１乃至４のいずれか一項において、押え側壁部５を、ケース１の内外方向に長くケース１の周方向に短い板状リブ１０にて形成したことを特徴とする。これによると、押え側壁部５におけるケース１の内外方向への撓み変形を防止できるのであり、嵌合用突部２の嵌合用溝部４への嵌合をより強く維持することができる。
【００１２】
また請求項６に係るケースの嵌合構造にあっては、請求項１乃至５のいずれか一項において、押え側壁部５の溝壁面に、その先端側ほど嵌合用溝部４の開口幅を大きくするようなガイド面９を形成したことを特徴とする。これによると、嵌合用突部２の嵌合用溝部４への挿入を容易にでき、嵌合用突部２の嵌合用溝部４への嵌合容易性を高めることができる。
【００１３】
また請求項７に係るケースの嵌合構造にあっては、請求項１乃至６のいずれか一項において、押え側壁部５の突出長さを、ケース１の周方向の中央部ほど短くするように形成したことを特徴とする。これによると、半ケース１の撓み変形の恐れが少ない側から嵌合用突部２の溝嵌合部３を押え側壁部５によって嵌合用溝部４内に挿入することができ、つまり嵌合用突部２の嵌合用溝部４への挿入安定性を高め得ることから、嵌合用突部２の嵌合用溝部４への嵌合容易性を高めることができる。
【００１４】
また請求項８に係るケースの嵌合構造にあっては、請求項１乃至７のいずれか一項において、平面視矩形状にした他方の半ケース１ｂの４周のうち対向する２面にそれぞれ係合側壁部６を設けると共に、これら係合側壁部６におけるケース１の周方向の両端部に自由端形状部６ａを設けたことを特徴とする。これによると、ケース１全体を変形させずに係合側壁部６のみをケース１内外方向に撓み変形させることが可能になる。したがって、嵌合用突部２を嵌合用溝部４に嵌合させた状態（ケース１を形成させた状態）にあっても、指を引っ掛ける等して係合側壁部６のみをケース１内外方向に撓み変形させて爪部７と爪係合部８との係合を外すことができるのであり、つまり、一旦ケース１を形成した後にも容易にケース１を分解可能にできる。
【発明の効果】
【００１５】
本発明にあっては、ケースを形成する際の半ケース同士の容易な嵌合を可能にしつつ、ケースに対して衝撃等の荷重がかかっても半ケースの同士の嵌合状態を強固に維持できる、という利点を有する。
【発明を実施するための最良の形態】
【００１６】
以下、本発明を添付図面に示す実施形態に基いて説明する。
【００１７】
図１乃至図３に実施の形態の例を示す。図２のように、ケース１はその内部が電気部品等の収納物を収納可能にする中空形状に形成された矩形箱状のケース１であり、一対の矩形容器状の半ケース同士１ａ，１ｂを対向して合致させ、一体化することで形成される。半ケース１ａ，１ｂはそれぞれ平面視矩形状の底面壁１３の４周に亘って側面壁１４を立設することで形成されている。説明の便宜上、一対の半ケース１ａ，１ｂのうち側面壁１４の高さ寸法が高い方の一方の半ケースをボディケース１１と称すると共に、他方の半ケースを蓋ケース１２と称し、また蓋ケース１２をボディケース１１の上部に被着してケース１を形成する状態を基準して方向を言うものとし、つまり蓋ケース１２とボディケース１１との対向方向は上下方向となり、ケース１の周方向は上記蓋ケース１２とボディケース１１との対向方向（すなわち上下方向）における４周の側面壁に沿うような軸周り方向となる。
【００１８】
図２（ｄ）のように、ボディケース１１の側面壁１４の上部にはケース１の周方向に亘ってその厚み方向の内側半部を残すように薄肉部１５が形成されており、対向する一対の長辺の側面壁１４の薄肉部１５が嵌合用突部２を構成している。すなわち本例の嵌合用突部２はボディケース１１の長辺に亘って形成されている。この嵌合用突部２はその上端部が後述する嵌合用溝部４の溝底（奥部）に嵌合するための溝嵌合部３となっており、この溝嵌合部３よりも根元側の部位にケース１の外方に突出する爪部７が形成されている。つまり、爪部７は嵌合用突部２の突出方向の中程の部位に形成されている。爪部７における嵌合用突部２の突出方向の面には、嵌合用突部２の突出先端側ほど嵌合用突部２からの突出寸法が小さくするような傾斜面状の挿入ガイド面７ａが形成されている。本例では、爪部７はボディケース１１の長辺の幅方向（ケース１の周方向）における中央部を境にして対称位置に一対形成されている。
【００１９】
また、図２（ａ）〜（ｃ）のように、蓋ケース１２の側面壁１４の下部にはケース１の周方向に亘ってその厚み方向の外側半部を残すように薄肉部１６が形成されている。対向する一対の長辺の薄肉部１６の内側には隙間ｓを介して対向する垂下片１７が側面壁１４から突出するように形成されている。本例では垂下片１７は蓋ケース１２の長辺の幅方向（ケース１の周方向）に亘るように形成されている。この隙間ｓは薄肉部１６と垂下片１７とが溝壁となり側面壁１４が溝底となる下方に開口せる嵌合用溝部４を構成しており、この薄肉部１６には嵌合用溝部４に嵌合用突部２が嵌合された際に爪部７が係合する貫通孔状の爪係合部８が形成されている。ここで、嵌合用溝部４の一対の溝壁のうち爪係合部８が形成された側の溝壁（薄肉部１６）を係合側壁部６と称し、他方の溝壁（垂下片１７）を押え側壁部５と称する。係合側壁部６は嵌合用突部２の突出寸法と略同長さの突出寸法を有し、爪係合部８は係合側壁部６の突出方向の中程の部位に形成されている。なお、本例の爪係合部８も、ボディケース１１の爪部７と同様に、蓋ケース１２の長辺の幅方向（ケース１の周方向）における中央部を境にして対称位置に一対形成されている。また、本例の押え側壁部５の下端（突出先端）は、爪係合部８のケース１の内側に対向する位置にまで至るように形成されている。
【００２０】
ボディケース１１と蓋ケース１２とを一体化させてケース１を形成するには、図１（ａ）のように、嵌合用突部２を嵌合用溝部４に嵌合させることで行われる。ここで、
ボディケース１１と蓋ケース１２とを矢印Ａのように近接させて嵌合用突部２を嵌合用溝部４に挿入する際には、図１（ｂ）のように、嵌合用突部２の溝嵌合部３が爪部７に先んじて嵌合用溝部４に挿入されて爪部７を嵌合用溝部４に挿入する際の抜け止め等の導入ガイドの役割をし、爪部７を嵌合用溝部４に挿入する際には爪部７の挿入ガイド面７ａが徐々に係合側壁部６をケース１の外側に押圧して撓み変形させるのであり（矢印Ｂ）、そのまま嵌合用突部２を嵌合用溝部４に挿入していくと、図１（ａ）（ｃ）のように、嵌合用突部２の溝嵌合部３が嵌合用溝部４の奥部に位置されると共に爪部７が爪係合部８に係合され、嵌合用突部２と嵌合用溝部４とが嵌合状態になる。
【００２１】
上述のように、嵌合用突部２の溝嵌合部３よりも根元側の部位と係合側壁部６との間に爪部７と爪係合部８とを設けたことで、従来の嵌合用突部２の先端に爪部７を設けたものに比べ、嵌合用溝部４の開口から浅い部分で爪部７と爪係合部８とを係合させることができたものであり、嵌合用突部２の嵌合用溝部４への嵌合容易性が確保されている。また本例では係合側壁部６及び押え側壁部５はケース１の内外方向に撓み変形可能で、係合側壁部６よりも押え側壁部５の突出寸法を短く形成している。しかして、図１（ｂ）のように、爪部７の挿入ガイド面７ａが係合側壁部６の下端部（突出先端部）をケース１の外側に押圧した際（矢印Ｂ）には、その反力（矢印Ｂ´）によって嵌合用突部２の溝嵌合部３が押え側壁部５の下端部（突出先端部）をケース１の内側に押圧することが可能となっている（矢印Ｃ）。片状の押え側壁部５や係合側壁部６の各下端部（突出先端部）は自由端であるから各根元部に比べてケース１の内外方向に撓み易い部位であり、つまり嵌合用溝部４の溝幅（係合側壁部６と押え側壁部５との対向距離）を容易に広げることが可能とされており、これによっても嵌合用突部２の嵌合用溝部４への嵌合容易性の向上が図られている。
【００２２】
そして、嵌合用突部２と嵌合用溝部４との嵌合状態では、図１（ａ）（ｃ）のように、嵌合用突部２の溝嵌合部３が、嵌合用溝部４の奥部で、押え側壁部５の根元部に沿って位置した状態となっている。ケース１を落下させたり等してケース１に対してその内外方向（爪部７の爪係合部８からの抜け方向（本例ではケース１の内方））に荷重が加わった際には（矢印Ｇ）、形状的に撓み変形量が大きくなる嵌合用突部２の溝嵌合部３が上記荷重によって押え側壁部５を押圧することとなるが（矢印Ｄ）、嵌合用突部２の溝嵌合部３が押え側壁部５の根元部を押圧することとなり、押え側壁部５のみが容易に変形されてしまうことはなく、この押え側壁部５への押圧荷重をケース１全体で支えることができるのであり、つまり嵌合用突部２の嵌合用溝部４への嵌合状態を強く維持できるのであって、ケース１がボディケース１１、蓋ケース１２に分解されてしまうことが有効に防止されているのである。たとえボディケース１１に加えられる荷重が大きくてボディケース１１の側面部全体がケース１の内側に撓み変形をしようとしても（矢印Ｅ）、上記のように撓み変形量が大きい嵌合用突部２の溝嵌合部３が押え側壁部５の根元部を押圧することで（矢印Ｄ）、蓋ケース１２が追従して変形することとなって（矢印Ｆ）、その結果、ケース１全体としての撓み変形量は抑制される。このとき嵌合用突部２の撓み変形も小さく抑えられるのであり、つまり嵌合用突部２の突出方句の中程にある爪部７での撓み変形量は小さくて爪係合部８から外れにくいといったことからも、嵌合用突部２の嵌合用溝部４への嵌合状態を強く維持させることが可能にされている。
【００２３】
以下、実施の形態の諸例を列挙する。ここで、先例と同様の部位にあっては同符号を付して説明を省き、異なる点について説明をしていく。
【００２４】
図４の例は、押え側壁部５を、爪部７と爪係合部８との係合箇所におけるケース１の内外方向に重なる箇所にのみ形成した例である。本例の押え側壁部５は蓋ケース１２の長辺の幅方向において部分的に設けたことから、蓋ケース１２の長辺の幅方向（ケース１の周方向）に亘る先例の押え側壁部５に比べて、省材料化が図られている。ここで、押え側壁部５は嵌合用溝部４に挿入された嵌合用突部２を押える役割を有しているが、この押え側壁部５を爪部７と爪係合部８との係合箇所におけるケース１の内外方向に重なる箇所に設けたことによると、嵌合用突部２と嵌合用溝部４との嵌合時の爪係合部８への爪部７の係合強度も高めるようにできる。しかして、嵌合用突部２と嵌合用溝部４との強固な嵌合強度を確保しながらも、押え側壁部５の小型化を図って材料コストの低減化を図ることができる。
【００２５】
図５の例は、押え側壁部５を、蓋ケース１２の長辺の幅方向（ケース１の周方向）における中央部にのみ設けた例である。ここで、蓋ケース１２に設けた爪係合部８は、先例と同様に、蓋ケース１２の長辺の幅方向（ケース１の周方向）における中央部（すなわち押え側壁部５の配置箇所）に対称な位置に設けられているので、上記押え側壁部５によると、爪係合部８に係合させた爪部７を有する嵌合用突部２をバランスよく押えることができる。しかして、嵌合用突部２と嵌合用溝部４との嵌合強度のバランスを確保しながらも、押え側壁部５の小型化を図って材料コストの低減化を図ることができる。なお、ボディケース１１の長辺に亘って形成された嵌合用突部２にあってはボディケース１１の長辺の幅方向（ケース１の周方向）における中央部が最も撓み易い箇所となるが、上述のように押え側壁部５を蓋ケース１２の長辺の幅方向（ケース１の周方向）における中央部に設けたことによると、この押え側壁部５によって嵌合用突部２の最も撓み易い箇所を押えることができるから、この点でも嵌合用突部２と嵌合用溝部４との嵌合状態を強く維持することが可能である。
【００２６】
図６や図８の例は、押え側壁部５の断面積を先端部よりも根元部で大となるように形成した例である。図６の例では押え側壁部５の幅寸法（ケース１の周方向における寸法）を根元側（突出基端端側）ほど大きく形成している。すなわち、押え側壁部５をその幅方向（ケース１の周方向）に切断した際の断面積が先端部よりも根元部で大となっている。図８の例では押え側壁部５の厚み寸法(ケース１の内外方向における寸法)を根元側（突出基端端側）ほど大きく形成している（後述するガイド面９が形成されている）。すなわち、押え側壁部５をその厚み方向（ケース１の周方向）に切断した際の断面積が先端部よりも根元部で大となっている。これによると、押え側壁部５の突出先端部をより弾性変形し易く、根元部をより弾性変形しずらくできるのであり、嵌合用突部２の嵌合用溝部４への嵌合容易性を高めつつ、嵌合用突部２の嵌合用溝部４への嵌合をより強く維持することができる。
【００２７】
図７の例は、押え側壁部５を、ケース１の内外方向に長くケース１の周方向に短い板状リブ１０にて形成した例である。なお、本例の押え側壁部５を構成する板状リブ１０は、蓋ケース１２の対向する一対の長辺の側面壁１４同士を連結しており、蓋ケース１２自体の剛性も高めている。この押え側壁部５はケース１の内外方向への撓み変形が行われ難くなっており、その結果、嵌合用突部２の撓み変形を強く防止でき、嵌合用突部２の嵌合用溝部４への嵌合をより強く維持することができる。なお、板状リブ１０の厚み寸法（ケース１の周方向における寸法）を増やしたり、板状リブ１０を複数個設けることによっても、嵌合用突部２の撓み変形を強く防止できて嵌合用突部２の嵌合用溝部４への嵌合をより強く維持することができるのは、言うまでもない。また、ケースの収納性を向上させるべく、適宜、板状リブ１０の長さ方向（ケース１の内外方向）の中央部分を切除してもよい。
【００２８】
図８の例は、押え側壁部５の溝壁面（嵌合用溝部４に臨む面）に、その先端側ほど嵌合用溝部４の開口幅を大きくするようなガイド面９を形成した例である。これによると、嵌合用突部２の嵌合用溝部４への挿入を容易にでき、嵌合用突部２の嵌合用溝部４への嵌合容易性を高めることができる。特に、本例のように、押え側壁部５の突出先端と係合側壁部６の突出先端との差寸法ａと嵌合用突部２の先端から爪部７までの寸法ｂとの寸法設定が通常行われるようにａ＜ｂの寸法関係にできない場合（ケース１内の収納性を向上しようとした場合等）、つまり嵌合用突部２の嵌合用溝部４への挿入時に係合側壁部６が爪部７でケース１の内外方向に押圧した段階では押え側壁部５の先端部に沿う位置にまで嵌合用突部２の溝嵌合部３が至らない寸法関係の場合に、特に有効である。
【００２９】
図９の例は、押え側壁部５の突出長さを、蓋ケース１２の長辺の幅方向（ケース１の周方向）における中央部ほど短くするように形成した例である。すなわち本例では押え側壁部５の突出先端に蓋ケース１２の長辺の幅方向（ケース１の周方向）における中央部ほど押え側壁部５の根元側に引き込む傾斜面１９を形成している。これによると、蓋ケース１２の長辺の幅方向（ケース１の周方向）の端部は、長辺の幅方向（ケース１の周方向）の中央部に比べて、隣接する側面壁１４の剛性によって撓み変形の恐れが少ない箇所であり、つまり半ケース１の撓み変形の恐れが少ない側から嵌合用突部２の溝嵌合部３を押え側壁部５によって嵌合用溝部４内に挿入することができるのである、しかして嵌合用突部２の嵌合用溝部４への挿入安定性が高められ、その結果、嵌合用突部２の嵌合用溝部４への嵌合容易性を高めることができたものである。特に本例では押え側壁部５は蓋ケース１２の長辺の幅方向の両端部に設けられており、上記作用効果を有効に発揮させ得るようにしている。
【００３０】
図１０の例は、係合側壁部６におけるケース１の周方向の両端部に自由端形状部６ａを設けた例である。すなわち、先例（図１）の蓋ケース１２において係合側壁部６を構成しない側面壁１４の薄肉部１６の略全てを切除することで、係合側壁部６におけるケース１の周方向の両端部を自由端形状部６ａに施している。これによると、蓋ケース１２全体を変形させずに係合側壁部６のみをケース１内外方向に撓み変形させることが可能になる。したがって、嵌合用突部２を嵌合用溝部４に嵌合させた状態（ケース１を形成させた状態）にあっても、指を引っ掛ける等して係合側壁部６のみをケース１内外方向に撓み変形させることで（矢印Ｈ）、爪部７と爪係合部８との係合を外すことができるのであり、つまり、一旦ケース１を形成した後にも容易にケース１を分解可能にできるのである。
【００３１】
図１１の例は、蓋ケース１２に嵌合用突部２を設け、ボディケース１１に嵌合用溝部４を設けた例である。ここで、嵌合用突部２は蓋ケース１２の側面壁１４の厚み方向の外側半部を残すような薄肉部１６にて形成されており、嵌合用溝部４の係合側壁部６はボディケース１１の側面壁１４の厚み方向の内側半部を残すような薄肉部１５にて形成されており、嵌合用溝部４の押え側壁部５はボディケース１１の側面壁１４の外側に設けられた立上片１８にて構成されている。また、嵌合用突部２における溝嵌合部３より根元側の部位（突出方向の中程の部位）には爪係合部８が設けられ、係合側壁部６には爪部７が設けられている。この例によっても、先例（図１）と同様の作用効果を期待できる。なお、押え側壁部５をボディケース１１の側面壁１４の外側に設けたことによると、ケース１の内体積を増やすことができ収納物の収納性能を向上できる。
【００３２】
図１２の例は、爪部７をケース１の内側に向けて設けた例である。ケース１に対してその内外方向（爪部７の爪係合部８からの抜け方向（本例ではケース１の外方））に荷重が加わっても（矢印Ｇ´）、先例（図１）と同様に、嵌合用突部２の嵌合用溝部４への嵌合状態を強く維持できるのである。
【００３３】
図１３の例は、先の図１１，１２の例を組み合わせたようなもので、つまり嵌合用突部２に設けた爪部７をケース１の内側に向けて設け、蓋ケース１２の外側に押え側壁部５を設けた例であるが、これも先例（図１）と同様の作用効果を期待できるものである。
【図面の簡単な説明】
【００３４】
【図１】本発明の実施の形態の例であり、（ａ）はケースの断面図であり、（ｂ）は嵌合用突部の嵌合用溝部への挿入時の要部の断面図であり、（ｃ）は嵌合用突部の嵌合用溝部への嵌合状態においてケースにその内方に荷重が加えられた状態の要部の断面図である。
【図２】（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図３】同上のケースの分解斜視図である。
【図４】本発明の実施の形態の他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図５】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図６】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図７】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図８】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図９】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図１０】本発明の実施の形態の更に他例であり、（ａ）は蓋ケースの一部切欠正面図あり、（ｂ）は（ａ）を右方から見た一部切欠側面図あり、（ｃ）は（ａ）の下面図であり、（ｄ）はボディケースの一部切欠正面図ある。
【図１１】本発明の実施の形態の更に他例であり、（ａ）は蓋ケースの一部切欠正面図あり、（ｂ）はボディケースの一部切欠正面図ある。
【図１２】本発明の実施の形態の更に他例であり、（ａ）は蓋ケースの一部切欠正面図あり、（ｂ）はボディケースの一部切欠正面図ある。
【図１３】本発明の実施の形態の更に他例であり、（ａ）は蓋ケースの一部切欠正面図あり、（ｂ）はボディケースの一部切欠正面図ある。
【図１４】従来技術の例のケースの断面図である。
【符号の説明】
【００３５】
１  ケース
１ａ  一方の半ケース
１ｂ  他方の半ケース
２  嵌合用突部
３  溝嵌合部
４  嵌合用溝部
５  押え側壁部
６  係合側壁部
７  爪部
８  爪係合部
９  ガイド面
１０  板状リブ
１１  ボディケース
１２  蓋ケース
【図１】
2008094464.tif 000003
【図２】
2008094464.tif 000004
【図３】
2008094464.tif 000005
【図４】
2008094464.tif 000006
【図５】
2008094464.tif 000007
【図６】
2008094464.tif 000008
【図７】
2008094464.tif 000009
【図８】
2008094464.tif 000010
【図９】
2008094464.tif 000011
【図１０】
2008094464.tif 000012
【図１１】
2008094464.tif 000013
【図１２】
2008094464.tif 000014
【図１３】
2008094464.tif 000015
【図１４】
2008094464.tif 000016